(57)【特許請求の範囲】
【請求項１】
本体部と該本体部に回動自在に支持された撮像手段と少なくとも一対のステレオマイクロフォンとを有する携帯型情報処理装置であって、
上記撮像手段の本体部に対する回動状態を検出する検出手段と、
上記一対のステレオマイクロフォンから出力される音声信号の第１のチャンネル信号と第２のチャンネル信号の右チャンネル信号と左チャンネル信号への割り当てを、上記検出手段の検出結果に応じて切り換える制御手段と、
上記制御手段によって割り当てられた音声信号を記録する記録手段とを備えた
ことを特徴とする携帯型情報処理装置。
【請求項２】
上記制御手段は、検出手段の検出結果に基づいて、撮像手段からの撮像信号を上下左右反転させ、
上記記録手段に上下左右反転された上記撮像信号が記録されるようにした
ことを特徴とする請求項１に記載の携帯型情報処理装置。
【請求項３】
上記撮像手段からの撮像信号を左右反転させてリアルタイムに表示部の表示画面に表示する表示処理手段を設けた
ことを特徴とする請求項２に記載の携帯型情報処理装置。
【請求項４】
一対のステレオスピーカーが設けられ、
上記制御手段が再生された音声信号の右チャンネル信号と左チャンネル信号とを上記検出手段の検出結果に基づいて切り換え一対のステレオスピーカーに各チャンネル信号を出力するようにした
ことを特徴とする請求項１に記載の携帯型情報処理装置。
【請求項５】
本体部と該本体部に開閉かつ回転自在に支持された表示部とを有する携帯型情報処理装置であって、
上記表示部に設けられた一対のステレオマイクロフォンと、
表示部の本体部に対する開閉状態及び回転状態を検出する検出手段と、
上記一対のステレオマイクロフォンから出力される音声信号の第１のチャンネル信号と第２のチャンネル信号の右チャンネル信号と左チャンネル信号への割り当てを、上記検出手段の検出結果に応じて切り換える制御手段と、
該制御手段によって割り当てられた音声信号を記録する記録手段とを備えた
ことを特徴とする携帯型情報処理装置。
【請求項６】
上記制御手段は、検出手段の検出結果に基づいて、表示部が本体部に対して閉状態で且つ反転状態であり、並びに撮像手段が表示面と反対側に回動しているとき、撮像手段からの撮像信号を上下左右反転させ、
上記記録手段に上下左右反転された上記撮像信号が記録されるようにした
ことを特徴とする請求項５に記載の携帯型情報処理装置。
【請求項７】
表示部が本体部に対して閉状態で且つ反転状態であり、並びに撮像手段が表示面と反対側に回動しているとき、撮像手段からの撮像信号を左右反転させてリアルタイムに表示画面に表示する表示処理手段を設けた
ことを特徴とする請求項５に記載の携帯型情報処理装置。
【請求項８】
本体部と該本体部に回動自在に支持された撮像手段と少なくとも一対のステレオマイクロフォンとを有する携帯型情報処理装置における情報処理方法であって、
上記撮像手段の本体部に対する回動状態を検出する検出処理ステップと、
上記一対のステレオマイクロフォンから出力される音声信号の第１のチャンネル信号と第２のチャンネル信号の右チャンネル信号と左チャンネル信号への割り当てを、上記検出手段の検出結果に応じて切り換える制御処理ステップと、
上記制御手段によって割り当てられた音声信号を記録する記録処理ステップとを備えた
ことを特徴とする携帯型情報処理装置における情報処理方法。
【請求項９】
上記制御処理ステップにおいて、検出手段の検出結果に基づいて、撮像手段からの撮像信号が上下左右反転され、
上記記録処理ステップにおいて、上下左右反転された上記撮像信号が記録手段に記録されるようにした
ことを特徴とする請求項８に記載の携帯型情報処理装置における情報処理方法。
【請求項１０】
上記撮像手段からの撮像信号を検出手段の検出結果に基づいて左右反転させてリアルタイムに表示部の表示画面に表示する表示処理ステップを備えた
ことを特徴とする請求項８に記載の携帯型情報処理装置における情報処理方法。
【請求項１１】
上記制御処理ステップにおいて、再生された音声信号の右チャンネル信号と左チャンネル信号とが上記検出手段の検出結果に基づいて切り換えられ各チャンネル信号が一対のステレオスピーカーに出力されるようにした
ことを特徴とする請求項８に記載の携帯型情報処理装置における情報処理方法。
【請求項１２】
本体部と該本体部に回動自在に支持された撮像手段と少なくとも一対のステレオマイクロフォンとを有する携帯型情報処理装置におけるプログラム格納媒体であって、
上記撮像手段の本体部に対する回動状態を検出する検出処理ステップと、
上記一対のステレオマイクロフォンから出力される音声信号の第１のチャンネル信号と第２のチャンネル信号の右チャンネル信号と左チャンネル信号への割り当てを、上記検出手段の検出結果に応じて切り換える制御処理ステップと、
上記制御手段によって割り当てられた音声信号を記録する記録処理ステップとを備えた
ことを特徴とする携帯型情報処理装置におけるプログラム格納媒体。
【請求項１３】
上記制御処理ステップにおいて、検出手段の検出結果に基づいて、撮像手段からの撮像信号が上下左右反転され、
上記記録処理ステップにおいて、上下左右反転された上記撮像信号が記録手段に記録されるようにした
ことを特徴とする請求項１２に記載の携帯型情報処理装置におけるプログラム格納媒体。
【請求項１４】
上記撮像手段からの撮像信号を検出手段の検出結果に基づいて左右反転させてリアルタイムに表示部の表示画面に表示する表示処理ステップを備えた
ことを特徴とする請求項１２に記載の携帯型情報処理装置におけるプログラム格納媒体。
【請求項１５】
上記制御処理ステップにおいて、再生された音声信号の右チャンネル信号と左チャンネル信号とが上記検出手段の検出結果に基づいて切り換えられ各チャンネル信号が一対のステレオスピーカーに出力されるようにした
ことを特徴とする請求項１２に記載の携帯型情報処理装置におけるプログラム格納媒体。
【発明の詳細な説明】
【０００１】
【発明の属する技術分野】
本発明は携帯型情報処理装置、携帯型情報処理装置における情報処理方法及び携帯型情報処理装置におけるプログラム格納媒体に関する。詳しくは、本体部と該本体部に開閉かつ回転自在に支持された表示部とを有する携帯型情報処理装置における情報処理方法及び携帯型情報処理装置におけるプログラム格納媒体についての技術分野に関する。
【０００２】
【従来の技術】
複数の操作キーが配置されたキーボードを有するコンピュータ本体（本体部）に対して表示部が開閉自在に支持された携帯型情報処理装置があり、このような従来の携帯型情報処理装置には表示部にステレオマイクロフォンが設けられているものがある。
【０００３】
【発明が解決しようとする課題】
上記のように、コンピュータ本体に対して表示部が開閉自在に支持された携帯型情報処理装置において、例えば、表示部をコンピュータ本体に対して回転可能としたときには、表示部の表示画面が前方を向いた状態でも後方を向いた状態でも使用できることとなるが、ステレオマイクロフォンの各チャンネル（右チャンネル、左チャンネル）が常に一定であるように設定してしまうと、使用する向きによって使用者にとってチャンネルが逆転してしまい、使用者が違和感を生じるおそれがある。
【０００４】
そこで、本発明携帯型情報処理装置、携帯型情報処理装置における情報処理方法及び携帯型情報処理装置におけるプログラム格納媒体は、上記した問題点を克服し、携帯型情報処理装置の何れの使用状態においても使用者にとって違和感のない使用状態を確保することを課題とする。
【０００５】
【課題を解決するための手段】
本発明携帯型情報処理装置は、上記した課題を解決するために、本体部と該本体部に回動自在に支持された撮像手段と少なくとも一対のステレオマイクロフォンとを有する携帯型情報処理装置であって、上記撮像手段の本体部に対する回動状態を検出する検出手段と、上記一対のステレオマイクロフォンから出力される音声信号の第１のチャンネル信号と第２のチャンネル信号の右チャンネル信号と左チャンネル信号への割り当てを、上記検出手段の検出結果に応じて切り換える制御手段と、上記制御手段によって割り当てられた音声信号を記録する記録手段とを備えたものである。
【０００６】
また、本発明携帯型情報処理装置における情報処理方法は、本体部と該本体部に回動自在に支持された撮像手段と少なくとも一対のステレオマイクロフォンとを有する携帯型情報処理装置における情報処理方法であって、上記撮像手段の本体部に対する回動状態を検出する検出処理ステップと、上記一対のステレオマイクロフォンから出力される音声信号の第１のチャンネル信号と第２のチャンネル信号の右チャンネル信号と左チャンネル信号への割り当てを、上記検出手段の検出結果に応じて切り換える制御処理ステップと、上記制御手段によって割り当てられた音声信号を記録する記録処理ステップとを備えたものである。
【０００７】
さらに、本発明携帯型情報処理装置におけるプログラム格納媒体は、本体部と該本体部に回動自在に支持された撮像手段と少なくとも一対のステレオマイクロフォンとを有する携帯型情報処理装置におけるプログラム格納媒体であって、上記撮像手段の本体部に対する回動状態を検出する検出処理ステップと、上記一対のステレオマイクロフォンから出力される音声信号の第１のチャンネル信号と第２のチャンネル信号の右チャンネル信号と左チャンネル信号への割り当てを、上記検出手段の検出結果に応じて切り換える制御処理ステップと、上記制御手段によって割り当てられた音声信号を記録する記録処理ステップとを備えたものである。
【０００８】
従って、本発明携帯型情報処理装置、携帯型情報処理装置における情報処理方法及び携帯型情報処理装置におけるプログラム格納媒体にあっては、携帯型情報処理装置の使用状態に応じてステレオマイクロフォンのチャンネルが切り換えられる。
【０００９】
【発明の実施の形態】
以下に、本発明の実施の形態を添付図面に従って説明する。
【００１０】
携帯型情報処理装置１はコンピュータ本体２と表示部３とを備えている（図１乃至図５参照）。尚、コンピュータ本体２の以下の説明にあっては、キーボードに配置された操作キーが上方を向きコンピュータ本体２の後方側に表示部３が位置されている状態において前後左右及び上下方向を規定する。
【００１１】
コンピュータ本体２の上面部２ａにはキーボード４が設けられ、該キーボード４には所定の操作キー５、５、・・・が配置されている（図１参照）。コンピュータ本体２の内部にはＣＰＵ（中央演算処理装置）等の処理手段が設けられており、キーボード４の操作キー５、５、・・・等に対する操作によって入力された信号についての各処理が行われる。
【００１２】
コンピュータ本体２の上面部２ａの前端部でその左右方向における中央部には、マウスカーソルの移動に用いられスティック式ポインティングデバイス６、マウスの左釦及び右釦に相当する左クリック釦７及び右クリック釦８、スクロール操作するためのセンター釦９が設けられている（図１参照）。
コンピュータ本体２の中央部２ａの前端部には、左右に離間してロック爪挿通孔１０、１０が形成されている（図１参照）。そして、後述するように、必要に応じて、コンピュータ本体２の内部に設けられた図示しない一対のロック爪が、それぞれロック爪挿通孔１０、１０から上方へ突出されるようになっている。
【００１３】
コンピュータ本体２の上面部２ａには、キーボード４の直ぐ後方でその右端部にインジケーター１１、１１、・・・が設けられており、また、インジケーター１１、１１、・・・の右側には、電源釦１２が配置されている（図１参照）。
【００１４】
コンピュータ本体２の上面部２ａの後端部には左右に離間して支持突部１３、１３が突設され、該支持突部１３、１３は左右方向に長く形成されている（図１及び図２参照）。そして、左側の支持突部１３にはインジケーター１４、１４、１４が設けられ、該インジケーター１４、１４、１４は電源の入力状態等を表示するものである。
【００１５】
コンピュータ本体２の前面部２ｂの右端寄りの位置には、放熱孔１５が形成され（図２参照）、コンピュータ本体２の内部に放熱孔１５に対応した位置に図示しないファンが配置されている。そして、前面部２ｂの左端寄りの位置には、スライド摘子１６が支持されており、該スライド摘子１６を左方へスライド操作すると、上記ロック爪がロック爪挿通孔１０、１０から上方へ突出され、スライド摘子１６を右方へスライド操作すると、突出されていたロック爪がコンピュータ本体２内に収納されるようになっている。また、コンピュータ本体２の右端寄りの位置には、前面部２ｂから底面部にかけて回り込むようにして、前方及び下方から視認可能な撮影時点灯レンズ１７が設けられている。撮影時点灯レンズ１７は、後述するカメラ部を用いた撮影時に点灯されるようになっている。
【００１６】
コンピュータ本体２の左側面部２ｃには、その後方側からステレオスピーカー１８、ＡＣアダプターが接続されるＤＣジャック１９、各種の記録再生機器又はマイクロフォンとの接続用のＬＩＮＥＩＮ／ＭＩＣコネクタ２０、ヘッドフォン接続用のヘッドフォンジャック２１が設けられている（図３参照）。そして、左側面部２ｃには、ヘッドフォンジャック２１の前側にモジュラージャック用のモデム端子２２、モニター接続のためのＶＧＡ（Video Graphics Array）ＯＵＴコネクタ２３が設けられ、これらのモデム端子２２及びＶＧＡＯＵＴコネクタ２３は、非使用時にはカバー２４によって保護されている。また、左側面部２ｃの前端部には、ＵＳＢ（Universal Serial Bus）端子２５が設けられている。さらに、左側面部２ｃには、ＰＣカードが挿入されるＰＣカードスロット２６が設けられ、該ＰＣカードスロット２６の近傍に挿入したＰＣカードを取り出すためのイジェクト釦２６ａが設けられている。
【００１７】
コンピュータ本体２の底面部２ｄには、その略中央部に、三脚ネジ穴２７が形成されている（図４参照）。この三脚ネジ穴２７は三脚を立てるための穴であり、後述するカメラ部による撮影時に三脚を用いて携帯型情報処理装置１を固定することにより、例えば、定点観測を行うことができる。
【００１８】
コンピュータ本体２の底面部２ｄの前端寄りの位置には、後述するカメラ部のレンズ保護キャップを保持する保持凹部２８が形成されている（図４参照）。
【００１９】
コンピュータ本体２の後端部には内部にバッテリーが装着されたバッテリーパック２９が着脱自在に設けられる（図４参照）。そして、底面部２ｄの後端部には、左右に離間してバッテリー用摘子３０、３０がスライド自在に支持されており、バッテリー用摘子３０、３０をそれぞれ所定の方向へスライド操作することにより、取り付けられたバッテリーパック２９のコンピュータ本体２へのロック又はコンピュータ本体２からの取外を行うことができる。
【００２０】
コンピュータ本体２の右端部はその後端部が右方へ突設されて釦配置部３１として設けられている（図１、図４及び図５参照）。釦配置部３１の側面、即ち、コンピュータ本体２の右側面部２ｅには、後方側からステレオスピーカー３２、所謂ビデオデッキ等と接続するための４ピン対応のＩＥＥＥ（Institute of Electrical and Electronics Engineers）１３９４端子３３、テレビジョンと接続するためのＡＶＯＵＴ端子３４が設けられている。また、右側面部２ｅには、板状の記憶媒体を挿入するためのスロット３５が設けられている。
【００２１】
釦配置部３１の上面には、手前側にアプリケーション釦３６、その後側にメニュー釦３７、これら両者の間の右側と左側にそれぞれＡ釦３８、Ｂ釦３９が設けられている（図１参照）。これらの各釦３６、３７、３８、３９は、何れもカメラ部による撮影時に使用する釦である。
【００２２】
釦配置部３１の前方にはＣＣＤ（Charge Coupled Device）撮像素子を有するカメラ部４０が設けられ、該カメラ部４０はコンピュータ本体２の前端寄りの右側面に設けられた図示しない軸を介してコンピュータ本体２に回動自在に支持されている（図１、図２、図４及び図５参照）。このカメラ部４０は、例えば、光学１０倍ズーム、手ぶれ補正機能、オートフォーカス機能といった高性能の機能を有している。
【００２３】
カメラ部４０はレンズ鏡筒４１と該レンズ鏡筒４１の一端部に設けられたフォーカスリング４２とを有し、レンズ鏡筒４１内には、所要のレンズ群が配置されている。カメラ部４０には、前面レンズ４３を保護するレンズ保護キャップ４４が着脱自在に設けられ、該レンズ保護キャップ４４はレンズ鏡筒４１に結ばれた紐４５の先端部に取り付けられている（図７参照）。
【００２４】
カメラ部４０の撮影時に取り外されたレンズ保護キャップ４４は、コンピュータ本体２の底面部２ｄに形成された上記保持凹部２８に挿入して保持することができる。
【００２５】
表示部３には、ＬＣＤ（Liquid Crystal Display）を有する表示画面４６が設けられ、該表示画面４６の周縁が枠部４７として形成されている（図１参照）。尚、表示部３の以下の説明にあっては、表示画面４６が前方又は上方を向いた状態において左右方向を規定し、コンピュータ本体２に支持された側を一端側、その反対側を他端側とする。また、表示画面４６が設けられた面を前面、その反対側の面を後面とする。
【００２６】
枠部４７の前面４７ａには、その右端部に撮影釦として機能するキャプチャー釦４８と画角を変更するためのズーム摘子４９とが設けられている（図１参照）。キャプチャー釦４８が半押し状態にされたときにカメラ部４０によって撮影される画像のフォーカシング調整が為され、全押し状態にされたときにフォーカシング調整された画像が取り込まれるようになっている。また、ズーム摘子４９をスライド操作することにより、ズーム機能（広角又は望遠）が発揮され画角の変更が為される。
【００２７】
枠部４７の右側面４７ｂには、一部が側方へ突出されたジョグダイヤル５０が設けられている（図１及び図５参照）。ジョグダイヤル５０は、回転操作により、例えば、表示画面４６に表示されたジョグダイヤル用のウインドウ上のアプリケーションソフトウェアのメニューがスクロールされ、ジョグダイヤル５０の回転軸方向への押圧操作により選択されたメニューの実行が為されるようになっている。
【００２８】
カメラ部４０についての設定は、所定のアプリケーションソフトウェア（以下、「ソフトＡ」と言う。）が実行されることにより行われる。ソフトＡの実行は、ジョグダイヤル５０の操作によって行われ、このソフトＡの実行によって静止画モードと動画モードの選択、表示画面４６に表示される任意の静止画像の選択、表示画面４６に表示される任意の動画像の選択、静止画像及び動画像のスクロール、動画像の再生・一時停止等を行うことができる。
【００２９】
枠部４７の右側面４７ｂには、ジョグダイヤル５０より他端側にバック摘子５１が設けられている（図１及び図５参照）。バック摘子５１は、ジョグダイヤル５０を誤って操作したときに、選択したメニューの１つ前の階層に戻す機能を有する。
【００３０】
枠部４７の前面４７ａには、その他端部４７ｃに左右に離間して係合孔５２、５２が形成されている（図１参照）。そして、枠部４７の他端部４７ｃにはステレオマイクロフォン５３が設けられ、該ステレオマイクロフォン５３には左側に第１のチャンネル５３ａ及び右側に第２のチャンネル５３ｂが設けられている（図１及び図４参照）。また、枠部４７の後面４７ｄには、その他端部４７ｃに左右に離間して係合孔５４、５４が形成されている（図４参照）。
【００３１】
コンピュータ本体２の後端部に設けられた上記支持突部１３、１３間には、左右方向に長い支持部材５５が挿入されており、表示部３は支持部材５５を介してコンピュータ本体２に支持されている（図１、図２及び図７参照）。即ち、支持部材５５内には、支持突部１３、１３に貫通された左右方向に延びる第１の支持軸５６が設けられ、該第１の支持軸５６を介して支持部材５５が支持突部１３、１３に対して回動可能とされ、表示部３は第１の支持軸５６と直交する第２の支持軸５７を介して支持部材５５に対して回転可能とされている（図７参照）。従って、表示部３は第１の支持軸５６を中心として支持突部１３、１３に対して支持部材５５と一体となって図７に示すＲ１−Ｒ２方向へ回動され、また、第２の支持軸５７を介して支持部材５５に対して図７に示すＳ１−Ｓ２方向へ回転される。
【００３２】
以下に、図６乃至図１５に従って携帯型情報処理装置１の各使用モードについて説明する。携帯型情報処理装置１はコンピュータとしての使用の他、ビデオカメラとしても使用することができる。
【００３３】
図６は、表示部３によってキーボード４が閉塞された状態であり、携帯型情報処理装置１がコンピュータとしてもビデオカメラとしても使用されないモード（以下、「不使用モード」と言う。）である。不使用モードにおいては、表示画面４６がキーボード４と対向した状態で表示部３がキーボード４を閉塞しており、表示部３の枠部４７の前面４７ａに形成された係合孔５２、５２の開口縁にコンピュータ本体２のロック爪挿通孔１０、１０から上方へ突出された上記ロック爪が係合され、これにより表示部３が閉塞位置にロックされている。
【００３４】
尚、不使用モードにおいて電源釦１２が操作され電源が「ＯＮ」の状態であれば、表示部３を回動させることにより直ちにコンピュータ又はビデオカメラとして使用することができる。
【００３５】
図７は、携帯型情報処理装置１を主にコンピュータとして使用するときの使用モード（以下、ＰＣモードと言う。）を示すものである。表示部３は図６に示す閉塞位置から図７に示すＲ１方向へ回動され、コンピュータ本体２に設けられたキーボード４の操作キー５、５、・・・が開放されている。使用者は、この状態で操作キー５、５、・・・、スティック式ポインティングデバイス６、左クリック釦７、右クリック釦８、センター釦９、ジョグダイヤル５０等を操作して入力作業や入力した情報の編集作業等を行うことができる。
【００３６】
また、ＰＣモードにおいても、ジョグダイヤル５０やアプリケーション釦３６、メニュー釦３７、Ａ釦３８、Ｂ釦３９等を操作することによりビデオカメラとして使用することができる。ビデオカメラとして使用する場合には、カメラ部４０をコンピュータ本体２に対して所望の方向を向くように回動させて使用することができる。
【００３７】
図７のＰＣモードから表示部３を第２の支持軸５７を中心として図７に示すＳ１方向又はＳ２方向へ回転させていく（図８参照）。そして、表示部３をコンピュータ本体２に対して１８０°回転させたところで回転を停止させる（図９参照）。このとき表示部３の表示画面４６が略後方を向いた状態となり、主に三脚を用いて使用する三脚撮影モードが設定される。三脚撮影モードにおいては、コンピュータ本体２の底面部２ｄに形成された三脚ネジ穴２７を用いて携帯型情報処理装置１を三脚に固定し、例えば、定点観測を行うことができる。尚、表示部３の表示画面４６が略後方を向いた三脚撮影モードにおいても、コンピュータ本体２を三脚に固定せず、例えば、携帯型情報処理装置１を把持した状態でビデオカメラとして使用することも可能である。
【００３８】
三脚撮影モードにおいても、ＰＣモードと同様に、カメラ部４０をコンピュータ本体２に対して所望の方向を向くように回動させて使用することができる。
【００３９】
三脚撮影モードにおいて表示部３を第１の支持軸５６を中心として回動し、表示部３によって操作キー５、５、・・・等を閉塞する（図１０参照）。表示部３が操作キー５、５、・・・等を閉塞した状態において、上記したように、コンピュータ本体２の前面部２ｂに設けられたスライド摘子１６を左方へスライド操作することによりロック爪がロック爪挿通孔１０、１０から上方へ突出され係合孔５４、５４に係合されて表示部３が閉塞位置にロックされる。この状態では、表示画面４６が外面側を向いている。
【００４０】
使用者は、枠部４７の一端部４７ｅが下側に他端部４７ｃが上側に位置するようにし、かつ、両手で携帯型情報処理装置１の両側縁を把持し表示画面４６を正面に見ながらカメラ部４０を用いて携帯型情報処理装置１をビデオカメラとして使用する（図１１参照）。
【００４１】
使用者は、カメラ部４０を用いた撮影時において、カメラ部４０を前面レンズ４３が撮影者と反対側を向くように回動させて撮影者の対面に存在する被写体を撮影することができる（図１２参照）。この使用モードが主に対面の被写体を撮影する相手撮りモードであり、カメラ部４０を、その先端部がコンピュータ本体２の釦配置部３１に当接するまで回動することが可能であり、図１３に示すように、回転角度αは最高１２０゜である。
【００４２】
また、使用者は、カメラ部４０を用いた撮影時において、カメラ部４０を前面レンズ４３が撮影者側を向くように回動させて、例えば、撮影者自身を撮影することができる（図１４参照）。この使用モードが主に撮影者側の被写体を撮影する自分撮りモードであり、カメラ部４０を、その先端部がコンピュータ本体２の釦配置部３１に当接するまで回動することが可能であり、図１５に示すように、回転角度βは最高１２０゜である。従って、携帯型情報処理装置１にあっては、カメラ部４０を２４０゜の角度範囲で回転させることが可能である（図１３及び図１５参照）。
【００４３】
尚、携帯型情報処理装置１にあっては、図１５に示すように、カメラ部４０を回動範囲の中央から撮影者側に１５°回動させたところでカメラ部４０の回動方向が反転したことが検知され、表示画面４６に表示される画像が反転され天地の正しい画像が表示されるようになっており、カメラ部４０が図１５に示すＰ方向へ回動された状態で相手撮りモードが設定され、図１５に示すＱ方向へ回動された状態で自分撮りモードが設定されるようになっている。
【００４４】
尚、カメラ部４０を用いたビデオカメラとしての使用モードとしては、上記したＰＣモード、三脚撮影モード、相手撮りモード及び自分撮りモードの他、例えば、図８等の各モードが設定される過程における状態でも使用することが可能である。
【００４５】
以下に、携帯型情報処理装置１の回路構成について説明する（図１６参照）。
【００４６】
コンピュータ本体２には各種の機能を統括的に制御するＣＰＵ５８が設けられており、該ＣＰＵ５８がホストバス５９に接続されている。そして、ＣＰＵ５８によってＲＡＭ（Random Access Memory）６０にロードされた各種のプログラムやアプリケーションソフトウェアに応じた処理を、クロックジェネレータ６１から付与されるシステムクロックに基づいて所定の動作速度で実行することにより、各種の機能を為し得るようになっている。
【００４７】
ホストバス５９にはキャッシュメモリ６２が接続されており、該キャッシュメモリ６２によってＣＰＵ５８が使用するデーターをキャッシュし、これにより高速アクセスが為されるようになっている。
【００４８】
ホストバス５９は、ＰＣＩ（Peripheral Component Interconnect）バス６３とホストＰＣＩブリッジ６４を介して接続されている。そして、ホストＰＣＩブリッジ６４は、メモリバス６５を介してＲＡＭ６０と接続されている。
【００４９】
ＰＣＩバス６３には、ビデオコントローラ６６、ＩＥＥＥ１３９４インターフェース６７、ビデオキャプチャー処理チップ６８及びＰＣカードインターフェース６９が接続されている。
【００５０】
ホストＰＣＩブリッジ６４はＣＰＵ５８とビデオコントローラ６６、ＩＥＥＥ１３９４インターフェース６７、ビデオキャプチャー処理チップ６８又はＰＣカードインターフェース６９との間で行われる各種のデーターの授受を制御すると共にメモリバス６５を介して接続されたＲＡＭ６０のメモリーコントロールを行う。また、ホストＰＣＩブリッジ６４は、ビデオコントローラ６６とＡＧＰ（Accelerated Graphics Port）７０に沿った信号線を介して接続されており、これによりホストＰＣＩブリッジ６４とビデオコントローラ６６との間で画像データを高速転送されるようになっている。
【００５１】
ビデオキャプチャー処理チップ６８は、シリアスバスであるＳＭ（System Management）バス７１と接続されている。そして、ビデオキャプチャー処理チップ６８にＳＭバス７１を介して上記カメラ部４０によって撮影された画像データが供給されると、供給された画像データがビデオキャプチャー処理チップ６８に内蔵された図示しないフレームメモリに一旦格納され、ＪＰＥＧ（Joint Photographic Experts Group）規格にしたがって画像圧縮処理が為されてＪＰＥＧ画像データが生成され、生成されたＪＰＥＧ画像データが再びフレームメモリに格納されるようになっている。
【００５２】
また、ビデオキャプチャー処理チップ６８は、ＣＰＵ５８から送出された指令信号に基づいてフレームメモリに格納されているＪＰＥＧ画像データをバスマスタ機能を用いてＲＡＭ６０に転送し、ＪＰＥＧ画像データ（静止画データ）又はモーションＪＰＥＧ画像データ（動画データ）としてＨＤＤ（Hard Disk Drive）７２に転送する。
【００５３】
ビデオコントローラ６６はカメラ部４０によって撮影された画像データやビデオキャプチャー処理チップ６８によって生成されたＪＰＥＧ画像データに対して所定のグラフィックス処理を施し、次いで内蔵されている図示しないＶＲＡＭ（Video Random Access Memory）に格納して適宜読み出し、ＬＣＤを有する上記表示画面４６に画像を表示する。また、ビデオコントローラ６６は供給される各種のアプリケーションソフトウェアに基づく画像データを表示画面４６に出力し、複数のウインドウ画面を表示する。
【００５４】
ＰＣカードインターフェース６９は上記ＰＣカードスロット２６に接続され、オプション機能を追加するときにＰＣカードを介して装着されるようになっており、例えば、ＣＤ−ＲＯＭドライブやＤＶＤドライブ等の外部デバイスとＰＣカードを介して接続される。
【００５５】
ＩＥＥＥ１３９４インターフェース６７は上記ＩＥＥＥ１３９４端子３３と接続されており、例えば、他のコンピュータ装置やデジタルビデオカメラ等の外部デバイスとＩＥＥＥ１３９４端子３３を介して接続される。
【００５６】
上記ＰＣＩバス６３はＰＣＩ−ＩＳＡ（Industrial Standard Architecture）ブリッジ７３を介してＩＳＡバス７４と接続されており、ＰＣＩ−ＩＳＡブリッジ７３にはＨＤＤ７２と上記ＵＳＢ端子２５とが各別に接続されている。ＰＣＩ−ＩＳＡブリッジ７３は、ＩＤＥ（Integrated Drive Electronics）インターフェース、コンフィギュレーションレジスタ、ＲＴＣ（Real Time Clock）回路、ＵＳＢインターフェース等によって構成され、上記クロックジェネレータ６１から付与されるシステムクロックに基づいてＩＤＥインターフェースを介してＨＤＤ７２を制御する。
【００５７】
ＨＤＤ７２のハードディスクには、ＯＳ（Operating System）、電子メールプログラム、オートパイロットプログラム等の他、各種のアプリケーションソフトウェアが記憶されており、起動処理の過程でこれらのアプリケーションソフトウェア等がＲＡＭ６０に転送される。また、ＰＣＩ−ＩＳＡブリッジ７３は、ＵＳＢ端子２５を介して接続されるフロッピーディスクドライブ、プリンタ、ＵＳＢマウス等の外部デバイスをＵＳＢインターフェイスを介して制御すると共にＩＳＡバス７４に接続されるモデム７５及びサウンドコントローラ７６を制御する。尚、モデム７５は上記モデム端子２２に接続され、また、サウンドコントローラ７６は、マルチプレクサ７７、７７及びオーディオコーデック７８を介して上記ステレオスピーカー１８、３２及びステレオマイクロフォン５３に各別に接続され、オーディオコーデック７８に上記ＩＳＡバス７４経由でＩ／Ｏコントローラ７９から所定の指令信号が送出される。
【００５８】
モデム７５はモデム端子２２を介して電話回線及びインターネットを通じインターネットサービスプロバイダと接続される。また、サウンドコントローラ７６はステレオマイクロフォン５３を通じて音声信号の取込及びステレオスピーカー１８、３２への音声信号の出力を行う。
【００５９】
ＩＳＡバス７４には、Ｉ／Ｏコントローラ７９が接続され、電源供給充電制御回路８０を介して外部電源コネクタ８１から電力の供給が為され、上記電源釦１２が「ＯＮ」されたときに所要の各部に電力を供給する。そして、Ｉ／Ｏコントローラ７９はクロックジェネレータ６１と接続されており、該クロックジェネレータ６１から供給されるシステムクロックに基づいて動作される。また、電源供給充電制御回路８０は、Ｉ／Ｏコントローラ７９によって制御され、上記バッテリーパック２９のバッテリーの充電の制御を行う。
【００６０】
Ｉ／Ｏコントローラ７９はマイクロコントローラ、Ｉ／Ｏインターフェイス、ＣＰＵ、ＲＯＭ、ＲＡＭ等によって構成され、フラッシュメモリ８２に格納されているＢＩＯＳ（Basic Input Output System）に基づいてＯＳやアプリケーションソフトウェアと表示画面４６やＨＤＤ７２等の周辺機器との間におけるデータの入出力を制御する。
【００６１】
Ｉ／Ｏコントローラ７９は反転スイッチ８３と接続されている。反転スイッチ８３は、表示部３が図７に示すＲ１―Ｒ２方向へ回動されキーボード４を開閉するときの表示部３の回動状態を検知するリッドスイッチ８３ａと、表示部３が図７に示すＳ１―Ｓ２方向へ回転されるときの表示部３の回転状態を検知するＬＣＤスイッチ８３ｂと、カメラ部４０がコンピュータ本体２に対して回動されるときのカメラ部４０の回動状態を検知するカメラスイッチ８３ａとから成る。リッドスイッチ８３ａは、例えば、コンピュータ本体２の上面部２ａの後端部に設けられ、ＬＣＤスイッチ８３ｂは、例えば、第２の支持軸５７に設けられ、カメラスイッチ８３ｃは、例えば、カメラ部４０をコンピュータ本体２に支持する軸に設けられている。
【００６２】
Ｉ／Ｏコントローラ７９は上記キャプチャー釦４８とも接続されており、キャプチャー釦４８が上記したように半押し状態又は全押し状態にされたときに、その旨の信号がＣＰＵ５８に入力され所定のモードが設定される。
【００６３】
即ち、ＨＤＤ７２のハードディスクから撮像用の所定のソフトウェアがＲＡＭ６０に転送されているときに、キャプチャー釦４８が半押し状態にされると、静止画像モードが設定され静止画像がフリーズされ、キャプチャー釦４８が全押し状態にされると、フリーズされた静止画像データが取り込まれて上記ビデオコントローラ６６に送出される。そして、キャプチャー釦４８が半押し状態にされたときには、上記したようにフォーカシング調整が為される。尚、フォーカシング調整は、カメラ部４０の上記フォーカスリング４２を回転させることにより、マニュアル操作によっても行うことが可能である。
【００６４】
一方、撮像用の所定のソフトウェアがＲＡＭ６０に転送されていないときに、キャプチャー釦４８が全押し状態にされると、動画像モードが設定され動画像データが取り込まれて上記ビデオコントローラ６６に送出される。
【００６５】
Ｉ／Ｏコントローラ７９のＲＯＭには、ジョグダイヤル監視プログラム、キー入力監視プログラム、インジケーター制御プログラム等の各種のプログラムが格納されている。ジョグダイヤル監視プログラムはジョグダイヤル５０の回転操作及び押圧操作の状態を監視するプログラムである。キー入力監視プログラムは上記操作キー５、５、・・・やスティック式ポインティングデバイス６、左クリック釦７、右クリック釦８、センター釦９等の入力を監視するプログラムである。インジケーター制御プログラムは上記インジケーター１１、１１、・・・及びインジケーター１４、１４、１４の点灯／消灯を制御するプログラムである。
【００６６】
Ｉ／Ｏコントローラ７９は回転検出部８４を介してジョグダイヤル５０と接続されており、ジョグダイヤル５０の回転操作及び押圧操作によってあるメニューが選択・決定されると、Ｉ／Ｏコントローラ７９のＲＡＭに格納されたＩ／Ｏレジスタに回転操作フラグ及び押圧操作フラグを格納すると共にその旨の信号をＣＰＵ５８に送出する。
【００６７】
ＣＰＵ５８は、ＨＤＤ７２から読み出してＲＡＭ６０で起動中のジョグダイヤルユーティリティプログラムに従って、決定されたメニューに該当するアプリケーションソフトウェアを立ち上げて所定の処理を実行する。
【００６８】
Ｉ／Ｏコントローラ７９はアプリケーション釦３６、メニュー釦３７、Ａ釦３８及びＢ釦３９と各別に接続されており、各釦３６、３７、３８、３９の操作によってこれらの各釦３６、３７、３８、３９に特有の各機能が実行されるようになっている。
【００６９】
尚、Ｉ／Ｏコントローラ７９は電源釦１２がオフの状態でＯＳが起動していない状態であっても、上記電源供給充電制御回路８０の制御によってジョグダイヤル監視プログラムに基づいて常時動作されており、ジョグダイヤル５０の操作によって決定されたアプリケーションソフトウェア等を起動し得るようになっている。
【００７０】
また、Ｉ／Ｏコントローラ７９は上記ＳＭバス７１と接続されており、操作キー５、５・・・やジョグダイヤル５０によって設定したカメラ部４０に対する各種のパラメーターをＳＭバス７１を介して供給することにより、カメラ部４０における電源のオン／オフの制御や明るさ、コントラスト等の調整を行うことができるようになっている。
【００７１】
Ｉ／Ｏコントローラ７９は上記ズーム摘子４９、バック摘子５１の操作状態を監視するプログラムをも有しており、ズーム摘子４９、バック摘子５１の操作に応じた信号をＣＰＵ５８に送出する。
【００７２】
次に、上記した各使用モードにおけるリッドスイッチ８３ａ、ＬＣＤスイッチ８３ｂ、カメラスイッチ８３ｃの状態及びこれらの各状態におけるカメラの出力状態の設定、ステレオマイクロフォン５３の設定、ステレオスピーカー１８、３２の設定等について説明する（図１７参照）。
【００７３】
表示部３がキーボード４を閉塞し閉塞位置にあるときは、リッドスイッチ８３ａが「ＯＮ」とされ、閉塞位置からキーボード４を開放する方向へ回動されるとリッドスイッチ８３ａが「ＯＦＦ」とされる。従って、リッドスイッチ８３ａは、不使用モード、相手撮りモード及び自分撮りモードにおいては「ＯＮ」とされ、ＰＣモード及び三脚撮影モードにおいては「ＯＦＦ」とされる。
【００７４】
表示部３が図７に示すＳ１―Ｓ２方向へ回転されておらず表示画面４６が前方を向いているときには、ＬＣＤスイッチ８３ｂは「ＯＦＦ」とされ、Ｓ１―Ｓ２方向へ回転されると「ＯＮ」とされる。従って、ＬＣＤスイッチ８３ｂは、不使用モード及びＰＣモードにおいては「ＯＦＦ」とされ、三脚撮影モード、相手撮りモード及び自分撮りモードにおいては「ＯＮ」とされる。
【００７５】
カメラ部４０が図１５に示すＰ方向へ回動された位置にあるときにはカメラスイッチ８３ｃが「ＯＦＦ」とされ、カメラ部４０が図１５に示すＱ方向へ回動された位置にあるときにはカメラスイッチ８３ｃが「ＯＮ」とされる。従って、カメラスイッチ８３ｃは、不使用モード、ＰＣモード及び三脚撮影モードにおいては「ＯＮ」又は「ＯＦＦ」とされ、相手撮りモードにおいては「ＯＦＦ」とされ、自分撮りモードにおいては「ＯＮ」とされる。
【００７６】
カメラ部４０によって撮影が行われると、撮影されたデータはリッドスイッチ８３ａとカメラスイッチ８３ｃの状態を検出することにより「正像」としてのデータ又は「上下左右反転」としてのデータとしてビデオコントローラ６６に送出される。この検出は、リッドスイッチ８３ａが「ＯＮ」であるか「ＯＦＦ」であるかを検知し、リッドスイッチ８３ａが「ＯＦＦ」の場合には「正像」とされ、リッドスイッチ８３ａが「ＯＮ」の場合にはカメラスイッチ８３ｃの検知結果に基づきカメラスイッチ８３ｃが「ＯＦＦ」であれば「正像」でカメラスイッチ８３ｃが「ＯＮ」であれば「上下左右反転」とされる。そして、これらの「正像」又は「上下左右反転」としてのデータが、キャプチャー釦４８のに対する操作に基づいてビデオコントローラ６６から、例えば、ハードディスク等の記録手段に送出されて該記録手段に記録される。
【００７７】
カメラ部４０から出力されたデータに基づいて表示画面４６のプレビューに画像が映し出されるが、プレビューに映し出される画像は所定のバスの設定（以下、「プレビューの設定」と言う。）に基づいて処理されたデータが映し出される。
【００７８】
プレビューの設定はリッドスイッチ８３ａ、ＬＣＤスイッチ８３ｂ及びカメラスイッチ８３ｃの各状態を検出することにより行われ、ＬＣＤスイッチ８３ｂが「ＯＦＦ」であればカメラ部４０から出力されたデータが「左右反転」されるように設定される。そして、ＬＣＤスイッチ８３ｂが「ＯＮ」であればリッドスイッチ８３ａ及びカメラスイッチ８３ｃがともに「ＯＮ」のときに「左右反転」されるように設定され、リッドスイッチ８３ａ又はカメラスイッチ８３ｃの少なくとも一方が「ＯＦＦ」のときにはカメラ部４０から出力されたデータがそのままプレビューにリアルタイムに映し出されるように設定されている。従って、三脚モード及び相手撮りモードにおいてはプレビューに映し出される画像は「正像」であり、ＰＣモード及び自分撮りモードにおいてはプレビューに映し出される画像は「左右反転」された像である。
【００７９】
上記のように、三脚モード及び相手撮りモードにおいてはプレビューに映し出される画像は「正像」であり、ＰＣモード及び自分撮りモードにおいてはプレビューに映し出される画像は「左右反転」された像であるため、使用者には常に違和感のない自然な形で画像が提供されることになる。
【００８０】
図１８はステレオマイクロフォン５３の第１のチャンネル５３ａと第２のチャンネル５３ｂのチャンネル切換を行うためのブロック図である。尚、上記したように、表示画面４６を正面から見たときに左側に位置するものが第１のチャンネル５３ａ、右側に位置するものが第２のチャンネル５３ｂである。
【００８１】
サウンドコントローラ７６は、上記したように、オーディオコーデック７８を介してマルチプレクサ７７、７７と接続され、該マルチプレクサ７７、７７はそれぞれステレオマイクロフォン５３の第１のチャンネル５３ａと第２のチャンネルとに接続されている。そして、上記リッドスイッチ８３ａ、ＬＣＤスイッチ８３ｂ、カメラスイッチ８３ｃの「ＯＮ」「ＯＦＦ」の状態の検出結果に基づいてＩ／Ｏコントローラ７９から「Ｈｉｇｈ」又は「Ｌｏｗ」の指令信号がマルチプレクサ７７、７７に送出され、指令信号が「Ｈｉｇｈ」であれば第１のチャンネル５３ａがチャンネルＲ（右）として第２のチャンネル５３ｂがチャンネルＬ（左）として機能するように設定され、指令信号が「Ｌｏｗ」であれば第１のチャンネル５３ａがチャンネルＬとして第２のチャンネル５３ｂがチャンネルＲとして機能するように設定される。そして、このように設定されたチャンネルの状態が保持されオーディオコーデック７８で音声信号がデジタル信号に変換されてサウンドコントローラ７６を介してハードディスク等の記録手段に記録される。
【００８２】
図１９はステレオスピーカー１８、３２のチャンネル切換を行うためのブロック図である。
【００８３】
サウンドコントローラ７６は、上記したように、オーディオコーデック７８を介してマルチプレクサ７７、７７と接続され、該マルチプレクサ７７、７７はそれぞれスピーカーアンプ８５を介してステレオスピーカー１８とステレオスピーカー３２とに接続されている。そして、上記ＬＣＤスイッチ８３ｂの「ＯＮ」「ＯＦＦ」の状態の検出結果に基づいてＩ／Ｏコントローラ７９から指令信号がマルチプレクサ７７、７７に送出され、ＬＣＤスイッチ８３ｂが「ＯＦＦ」であればＩ／Ｏコントローラ７９からの指令信号に基づいてステレオスピーカー１８がチャンネルＬでステレオスピーカー３２がチャンネルＲとして機能するように設定され、ＬＣＤスイッチ８３ｂが「ＯＮ」であればＩ／Ｏコントローラ７９からの指令信号に基づいてステレオスピーカー１８がチャンネルＲでステレオスピーカー３２がチャンネルＬとして機能するように設定される。そして、このように設定されたチャンネルの状態が保持されスピーカーアンプ８５を介してチャンネル設定された各ステレオスピーカー１８、３２から音声が出力される。
【００８４】
次に上記したステレオマイクロフォン５３の第１のチャンネル５３ａと第２のチャンネル５３ｂのチャンネル切換及びステレオスピーカー１８、３２のチャンネル切換のフローについて説明する（図２０参照）。
【００８５】
（Ｓ１）処理が開始され、ＬＣＤスイッチ８３ｂの「ＯＮ」「ＯＦＦ」の状態が検出される。
【００８６】
（Ｓ２）ステップ１においてＬＣＤスイッチ８３ｂが「ＯＦＦ」であれば、ステレオスピーカー１８がチャンネルＬに設定されステレオスピーカー３２がチャンネルＲに設定される。
【００８７】
（Ｓ３）ステップ２に引き続き、リッドスイッチ８３ａの「ＯＮ」「ＯＦＦ」の状態が検出される。
【００８８】
（Ｓ４）ステップ３においてリッドスイッチ８３ａが「ＯＦＦ」であれば、カメラスイッチ８３ｃの「ＯＮ」「ＯＦＦ」の状態が検出される。
【００８９】
（Ｓ５）ステップ４においてカメラスイッチ８３ｃが「ＯＮ」であれば、ステレオマイクロフォン５３の第１のチャンネル５３ａがチャンネルＲに設定され第２のチャンネル５３ｂがチャンネルＬに設定される。
【００９０】
（Ｓ６）ステップ４においてカメラスイッチ８３ｃが「ＯＦＦ」であっても、ステレオマイクロフォン５３の第１のチャンネル５３ａがチャンネルＲに設定され第２のチャンネル５３ｂがチャンネルＬに設定される。
【００９１】
（Ｓ７）ステップ３においてリッドスイッチ８３ａが「ＯＮ」であっても、カメラスイッチ８３ｃの「ＯＮ」「ＯＦＦ」の状態が検出される。
【００９２】
（Ｓ８）ステップ７においてカメラスイッチ８３ｃが「ＯＮ」であれば、ステレオマイクロフォン５３の第１のチャンネル５３ａがチャンネルＲに設定され第２のチャンネル５３ｂがチャンネルＬに設定される。
【００９３】
（Ｓ９）ステップ７においてカメラスイッチ８３ｃが「ＯＦＦ」であっても、ステレオマイクロフォン５３の第１のチャンネル５３ａがチャンネルＲに設定され第２のチャンネル５３ｂがチャンネルＬに設定される。
【００９４】
（Ｓ１０）ステップ１においてＬＣＤスイッチ８３ｂが「ＯＮ」であれば、ステレオスピーカー１８がチャンネルＲに設定されステレオスピーカー３２がチャンネルＬに設定される。
【００９５】
（Ｓ１１）ステップ１０に引き続き、リッドスイッチ８３ａの「ＯＮ」「ＯＦＦ」の状態が検出される。
【００９６】
（Ｓ１２）ステップ１１においてリッドスイッチ８３ａが「ＯＦＦ」であれば、カメラスイッチ８３ｃの「ＯＮ」「ＯＦＦ」の状態が検出される。
【００９７】
（Ｓ１３）ステップ１２においてカメラスイッチ８３ｃが「ＯＮ」であれば、ステレオマイクロフォン５３の第１のチャンネル５３ａがチャンネルＬに設定され第２のチャンネル５３ｂがチャンネルＲに設定される。
【００９８】
（Ｓ１４）ステップ１２においてカメラスイッチ８３ｃが「ＯＦＦ」であっても、ステレオマイクロフォン５３の第１のチャンネル５３ａがチャンネルＬに設定され第２のチャンネル５３ｂがチャンネルＲに設定される。
【００９９】
（Ｓ１５）ステップ１１においてリッドスイッチ８３ａが「ＯＮ」であっても、カメラスイッチ８３ｃの「ＯＮ」「ＯＦＦ」の状態が検出される。
【０１００】
（Ｓ１６）ステップ１５においてカメラスイッチ８３ｃが「ＯＦＦ」であれば、ステレオマイクロフォン５３の第１のチャンネル５３ａがチャンネルＬに設定され第２のチャンネル５３ｂがチャンネルＲに設定される。
【０１０１】
（Ｓ１７）ステップ１５においてカメラスイッチ８３ｃが「ＯＮ」であれば、ステレオマイクロフォン５３の第１のチャンネル５３ａがチャンネルＲに設定され第２のチャンネル５３ｂがチャンネルＬに設定される。
【０１０２】
ステップ５、ステップ６、ステップ８、ステップ９、ステップ１３、ステップ１４、ステップ１６及びステップ１７において、ステレオマイクロフォン５３の第１のチャンネル５３ａと第２のチャンネル５３ｂとのチャンネル設定が行われると、処理が終了される。
【０１０３】
上記のように、ステレオマイクロフォン５３の第１のチャンネル５３ａと第２のチャンネル５３ｂのチャンネル切換及びステレオスピーカー１８、３２のチャンネル切換の設定が行われた結果、各モードのステレオマイクロフォン５３及びステレオスピーカー１８、３２のチャンネルの設定は図１７のようになる。
【０１０４】
ステレオマイクロフォン５３は、ＰＣモード及び自分撮りモードにおいて第１のチャンネル５３ａがチャンネルＲとして第２のチャンネル５３ｂがチャンネルＬとして機能し、三脚撮影モード及び相手撮りモードにおいて第１のチャンネル５３ａがチャンネルＬとして第２のチャンネル５３ｂがチャンネルＲとして機能する。また、ステレオスピーカー１８、３２は、ＰＣモードにおいてステレオスピーカー１８がチャンネルＬでステレオスピーカー３２がチャンネルＲとして機能し、三脚撮影モード及び相手撮りモード及び自分撮りモードにおいてステレオスピーカー１８がチャンネルＲでステレオスピーカー３２がチャンネルＬとして機能する。
【０１０５】
尚、不使用モードにおいて電源釦１２が操作され電源が「ＯＮ」の状態であれば、カメラの出力、プレビューの設定、ステレオマイクロフォン５３及びステレオスピーカー１８、３２のチャンネルの切換の設定が行われるが、不使用モードにおいてはコンピュータ又はビデオカメラとして使用されないため、図１７には各項目を省略して示している。
【０１０６】
また、上記ＣＰＵ５８、Ｉ／Ｏコントローラ７９、サウンドコントローラ７６、マルチプレクサ７７、７７等がステレオマイクロフォン５３から出力される音声信号のチャンネル信号を切り換える制御手段として機能し、ＣＰＵ５８、ビデオコントローラ６６等がリアルタイムに表示画面４６にカメラ部４０で撮影された画像を表示する表示処理手段として機能する。
【０１０７】
さらに、携帯型情報処理装置１にはカメラ部４０で撮影された画像や音声信号を記録する記録手段が設けられ、該記録手段としては、例えば、ハードディスク等の記録媒体である。
【０１０８】
上記のように、ステレオマイクロフォン５３は、ＰＣモード及び自分撮りモードにおいて第１のチャンネル５３ａがチャンネルＲとして第２のチャンネル５３ｂがチャンネルＬとして機能し、三脚撮影モード及び相手撮りモードにおいて第１のチャンネル５３ａがチャンネルＬとして第２のチャンネル５３ｂがチャンネルＲとして機能すると共にステレオスピーカー１８、３２は、ＰＣモードにおいてステレオスピーカー１８がチャンネルＬでステレオスピーカー３２がチャンネルＲとして機能し、三脚撮影モード及び相手撮りモード及び自分撮りモードにおいてステレオスピーカー１８がチャンネルＲでステレオスピーカー３２がチャンネルＬとして機能する。従って、使用者には入力される音声と出力される音声とが常に違和感のないように自然な形で提供されることになる。
【０１０９】
尚、上記には、コンピュータ本体２にキーボード４が設けられている携帯型情報処理装置１について説明したが、本発明はビデオカメラのようにキーボードを有しない機器についても適用可能であり、記録手段として光磁気ディスク等のディスク状記録媒体や接点を介して機器に接続される記憶媒体等を用いることができる。
【０１１０】
また、上記した画像の反転、ステレオマイクロフォン５３、ステレオスピーカー１８、３２の切換は、これらの各機能を実行するためのプログラムが記録されたプログラム格納媒体から携帯型情報処理装置１に入力された当該プログラムが実行されることにより行われるようにしてもよい。
【０１１１】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０１１２】
【発明の効果】
以上に記載したところから明らかなように、本発明携帯型情報処理装置は、本体部と該本体部に回動自在に支持された撮像手段と少なくとも一対のステレオマイクロフォンとを有する携帯型情報処理装置であって、上記撮像手段の本体部に対する回動状態を検出する検出手段と、上記一対のステレオマイクロフォンから出力される音声信号の第１のチャンネル信号と第２のチャンネル信号の右チャンネル信号と左チャンネル信号への割り当てを、上記検出手段の検出結果に応じて切り換える制御手段と、上記制御手段によって割り当てられた音声信号を記録する記録手段とを備えたことを特徴とする。
【０１１３】
従って、入力される音声を、携帯型情報処理装置の使用状態に応じて適切に右チャンネル信号と左チャンネル信号とに割り当てて記録することができる。
【０１１４】
請求項２に記載した発明にあっては、制御手段は、検出手段の検出結果に基づいて、撮像手段からの撮像信号を上下左右反転させ、記録手段に上下左右反転された上記撮像信号が記録されるようにしたので、携帯型情報処理装置の使用状態に拘わらず、撮像手段によって撮影された画像を使用者に違和感のない自然な状態で表示することができる。
【０１１５】
請求項３に記載した発明にあっては、撮像手段からの撮像信号を左右反転させてリアルタイムに表示部の表示画面に表示する表示処理手段を設けたので、携帯型情報処理装置の使用状態に拘わらず、撮像手段によって撮影された画像を直ちに使用者が違和感のない自然な状態で認識することができる。
【０１１６】
請求項４に記載した発明にあっては、一対のステレオスピーカーが設けられ、制御手段が再生された音声信号の右チャンネル信号と左チャンネル信号とを検出手段の検出結果に基づいて切り換え一対のステレオスピーカーに各チャンネル信号を出力するようにしたので、また、請求項５に記載した発明にあっては本体部と該本体部に開閉かつ回転自在に支持された表示部とを有する携帯型情報処理装置であって、表示部に設けられた一対のステレオマイクロフォンと、表示部の本体部に対する開閉状態及び回転状態を検出する検出手段と、一対のステレオマイクロフォンから出力される音声信号の第１のチャンネル信号と第２のチャンネル信号の右チャンネル信号と左チャンネル信号への割り当てを、検出手段の検出結果に応じて切り換える制御手段と、該制御手段によって割り当てられた音声信号を記録する記録手段とを備えたので、携帯型情報処理装置の使用状態に拘わらず、出力される音声を使用者に常に違和感のないように自然な形で提供することができる。
【０１１７】
請求項６に記載した発明にあっては、制御手段は、検出手段の検出結果に基づいて、表示部が本体部に対して閉状態で且つ反転状態であり、並びに撮像手段が表示面と反対側に回動しているとき、撮像手段からの撮像信号を上下左右反転させので、入力される音声を、携帯型情報処理装置の使用状態に応じて適切に右チャンネル信号と左チャンネル信号とに割り当てて記録手段に記録することができる。また、請求項７に記載した発明にあっては、表示部が本体部に対して閉状態で且つ反転状態であり、並びに撮像手段が表示面と反対側に回動しているとき、撮像手段からの撮像信号を左右反転させてリアルタイムに表示画面に表示する表示処理手段を設けたので、携帯型情報処理装置の使用状態に拘わらず、撮像手段によって撮影された画像を直ちに使用者が違和感のない自然な状態で認識することができる。
【０１１８】
また、本発明携帯型情報処理装置における情報処理方法は、本体部と該本体部に回動自在に支持された撮像手段と少なくとも一対のステレオマイクロフォンとを有する携帯型情報処理装置における情報処理方法であって、撮像手段の本体部に対する回動状態を検出する検出処理ステップと、一対のステレオマイクロフォンから出力される音声信号の第１のチャンネル信号と第２のチャンネル信号の右チャンネル信号と左チャンネル信号への割り当てを、検出手段の検出結果に応じて切り換える制御処理ステップと、制御手段によって割り当てられた音声信号を記録する記録処理ステップとを備えたことを特徴とする。
【０１１９】
従って、入力される音声を、携帯型情報処理装置の使用状態に応じて適切に右チャンネル信号と左チャンネル信号とに割り当てて記録することができる。
【０１２０】
請求項９に記載した発明にあっては、制御処理ステップにおいて、検出手段の検出結果に基づいて、撮像手段からの撮像信号が上下左右反転され、記録処理ステップにおいて、上下左右反転された上記撮像信号が記録手段に記録されるようにしたので、携帯型情報処理装置の使用状態に拘わらず、撮像手段によって撮影された画像を使用者に違和感のない自然な状態で表示することができる。
【０１２１】
請求項１０に記載した発明にあっては、撮像手段からの撮像信号を検出手段の検出結果に基づいて左右反転させてリアルタイムに表示部の表示画面に表示する表示処理ステップを備えたので、携帯型情報処理装置の使用状態に拘わらず、撮像手段によって撮影された画像を直ちに使用者が違和感のない自然な状態で認識することができる。
【０１２２】
請求項１１に記載した発明にあっては、制御処理ステップにおいて、再生された音声信号の右チャンネル信号と左チャンネル信号とが上記検出手段の検出結果に基づいて切り換えられ各チャンネル信号が一対のステレオスピーカーに出力されるようにしたので、携帯型情報処理装置の使用状態に拘わらず、出力される音声を使用者に常に違和感のないように自然な形で提供することができる。
【０１２４】
さらに、本発明携帯型情報処理装置におけるプログラム格納媒体は、本体部と該本体部に回動自在に支持された撮像手段と少なくとも一対のステレオマイクロフォンとを有する携帯型情報処理装置におけるプログラム格納媒体であって、撮像手段の本体部に対する回動状態を検出する検出処理ステップと、一対のステレオマイクロフォンから出力される音声信号の第１のチャンネル信号と第２のチャンネル信号の右チャンネル信号と左チャンネル信号への割り当てを、検出手段の検出結果に応じて切り換える制御処理ステップと、制御手段によって割り当てられた音声信号を記録する記録処理ステップとを備えたことを特徴とする。
【０１２５】
従って、入力される音声を、携帯型情報処理装置の使用状態に応じて適切に右チャンネル信号と左チャンネル信号とに割り当てて記録することができる。
【０１２６】
請求項１３に記載した発明にあっては、制御処理ステップにおいて、検出手段の検出結果に基づいて、撮像手段からの撮像信号が上下左右反転され、記録処理ステップにおいて、上下左右反転された撮像信号が記録手段に記録されるようにしたので、携帯型情報処理装置の使用状態に拘わらず、撮像手段によって撮影された画像を使用者に違和感のない自然な状態で表示することができる。
【０１２７】
請求項１４に記載した発明にあっては、撮像手段からの撮像信号を検出手段の検出結果に基づいて左右反転させてリアルタイムに表示部の表示画面に表示する表示処理ステップを備えたので、携帯型情報処理装置の使用状態に拘わらず、撮像手段によって撮影された画像を直ちに使用者が違和感のない自然な状態で認識することができる。
【０１２８】
請求項１５に記載した発明にあっては、制御処理ステップにおいて、再生された音声信号の右チャンネル信号と左チャンネル信号とが上記検出手段の検出結果に基づいて切り換えられ各チャンネル信号が一対のステレオスピーカーに出力されるようにしたので、携帯型情報処理装置の使用状態に拘わらず、出力される音声を使用者に常に違和感のないように自然な形で提供することができる。
【図面の簡単な説明】
【図１】  図２乃至図２０と共に本発明の実施の形態を示すものであり、本図は操作キーが開放された状態で示す携帯型情報処理装置の平面図である。
【図２】  図１と同じ状態で示す携帯型情報処理装置の正面図である。
【図３】  図１と同じ状態で示す携帯型情報処理装置の左側面図である。
【図４】  図１と同じ状態で示す携帯型情報処理装置の底面図である。
【図５】  図１と同じ状態で示す携帯型情報処理装置の右側面図である。
【図６】  表示画面がキーボードに対向した状態で表示部によって操作キーが閉塞された携帯型情報処理装置を示す平面図である。
【図７】  ＰＣモードの状態を示す携帯型情報処理装置の斜視図である。
【図８】  ＰＣモードから表示部がコンピュータ本体に対して回転されている状態を示す携帯型情報処理装置の斜視図である。
【図９】  三脚撮影モードの状態を示す携帯型情報処理装置の斜視図である。
【図１０】  表示画面が外側を向いた状態で表示部によって操作キーが閉塞された携帯型情報処理装置を示す斜視図である。
【図１１】  相手撮りモード又は自分撮りモードの状態で使用する直前の状態を示す携帯型情報処理装置の斜視図である。
【図１２】  図１３と共に相手撮りモードの状態の携帯型情報処理装置を示すものであり、本図は斜視図である。
【図１３】  側面図である。
【図１４】  図１５と共に自分撮りモードの状態の携帯型情報処理装置を示すものであり、本図は斜視図である。
【図１５】  側面図である。
【図１６】  携帯型情報処理装置の回路構成を示すブロック図である。
【図１７】  各使用モードにおける反転スイッチの状態及びこれらの各状態におけるカメラの出力状態の設定、ステレオマイクロフォンの設定、ステレオスピーカーの設定等を示す図である。
【図１８】  ステレオマイクロフォンの第１のチャンネルと第２のチャンネルのチャンネル切換を行うためのブロック図である。
【図１９】  ステレオスピーカーのチャンネル切換を行うためのブロック図である。
【図２０】  ステレオマイクロフォンの第１のチャンネルと第２のチャンネルのチャンネル切換及びステレオスピーカーのチャンネル切換のフローチャート図である。
【符号の説明】
１…携帯型情報処理装置、２…コンピュータ本体（本体部）、３…表示部、１８…ステレオスピーカー、３２…ステレオスピーカー、４０…カメラ部（撮像手段）、４６…表示画面、５３…ステレオマイクロフォン、５３ａ…第１のチャンネル、５３ｂ…第２のチャンネル、５８…ＣＰＵ（制御手段）、７６…サウンドコントローラ（制御手段）、７７…マルチプレクサ（制御手段）、７９…Ｉ／Ｏコントローラ（制御手段）、８３…反転スイッチ（検出手段）
【図１】
0003636057.tif 000002
【図２】
0003636057.tif 000003
【図３】
0003636057.tif 000004
【図４】
0003636057.tif 000005
【図５】
0003636057.tif 000006
【図６】
0003636057.tif 000007
【図７】
0003636057.tif 000008
【図８】
0003636057.tif 000009
【図９】
0003636057.tif 000010
【図１０】
0003636057.tif 000011
【図１１】
0003636057.tif 000012
【図１２】
0003636057.tif 000013
【図１３】
0003636057.tif 000014
【図１４】
0003636057.tif 000015
【図１５】
0003636057.tif 000016
【図１６】
0003636057.tif 000017
【図１７】
0003636057.tif 000018
【図１８】
0003636057.tif 000019
【図１９】
0003636057.tif 000020
【図２０】
0003636057.tif 000021